(57)【要約】【課題】高周波アシスト磁気記録において、記録密度の向上を図ることが可能な磁気ディスク装置を提供する。【解決手段】実施形態によれば、磁気ディスク装置は、記録媒体１２の記録層に記録磁界を印加する主磁極と、主磁極を励磁する記録コイルと、前記記録媒体と対向する媒体対向面の近傍で前記主磁極に隣接して設けられ、高周波磁界を発生する高周波発振子と、を有する記録ヘッドと、記録コイルに記録電流を供給するとともに、記録電流の極性反転後の第１期間内に、オーバーシュート電流を前記記録電流に印加する記録電流供給回路８１と、高周波発振子に第１レベルの一定の駆動電流を供給し、前記第１期間内で、第１レベルと異なる第２レベルのパルス駆動電流を前記高周波発振子に印加する駆動電流供給回路８２と、を備えている。【選択図】図１
2016045973.tif 000002
【特許請求の範囲】
【請求項１】
記録媒体の記録層に記録磁界を印加する主磁極と、前記主磁極を励磁する記録コイルと、前記記録媒体と対向する媒体対向面の近傍で前記主磁極に隣接して設けられ、高周波磁界を発生する高周波発振子と、を有する記録ヘッドと、
前記記録コイルに記録電流を供給するとともに、前記記録電流の極性反転後の第１期間内に、オーバーシュート電流を前記記録電流に印加する記録電流供給回路と、
前記高周波発振子に第１レベルの一定の駆動電流を供給し、前記第１期間内で、前記第１レベルと異なる第２レベルのパルス駆動電流を前記高周波発振子に印加する駆動電流供給回路と、
を備える磁気ディスク装置。
【請求項２】
前記駆動電流供給回路は、前記記録電流の極性反転後、前記記録ヘッドのライトギャップ内磁界が反転してゼロを通過する時と、前記オーバーシュート電流の印加終了時との間に、前記パルス駆動電流のピークが位置するように、前記パルス駆動電流の印加タイミングを制御するように構成されている請求項１に記載の磁気ディスク装置。
【請求項３】
前記パルス駆動電流の第２レベルは、前記第１レベルの２倍以下である請求項１又は２に記載の磁気ディスク装置。
【請求項４】
前記第２レベルは、前記第１レベルよりも高い電流値である請求項１ないし３のいずれか１項に記載の磁気ディスク装置。
【請求項５】
前記記録ヘッドは、前記主磁極にライトギャップを置いて対向するライトシールドを備え、前記高周波発振子は、前記主磁極とライトシールドとの間で、前記媒体対向面の近傍に設けられ、前記主磁極およびライトシールドに電気的に接続されている請求項１ないし４のいずれか１項に記載の磁気ディスク装置。
【請求項６】
前記記録ヘッドは、前記主磁極にライトギャップを置いて対向する第１シールドと、前記第１シールドと反対側で前記主磁極に対向して設けられた第２シールドと、前記主磁極および第１シールドで構成される磁気コアに巻き付けられた第１コイルと、前記主磁極および第２シールドで構成される磁気コアに巻き付けられた第２コイルと、を備え、
前記高周波発振子は、前記主磁極と前記第１シールドとの間で、前記媒体対向面の近傍に設けられ、前記主磁極および第１シールドに電気的に接続されている請求項１ないし４のいずれか１項に記載の磁気ディスク装置。
【請求項７】
記録ヘッドの駆動方法であって、
前記記録ヘッドの記録コイルに記録電流を供給し、
前記記録電流の極性反転後に、オーバーシュート電流を第１期間内で前記記録電流に重畳し、
前記記録ヘッドの高周波発振子に第１レベルの一定の駆動電流を通電し、
前記第１期間内で、前記駆動電流に前記第１レベルと異なる第２レベルのパルス駆動電流を印加する記録ヘッドの駆動方法。
【請求項８】
前記記録電流の極性反転の後、前記記録ヘッドのライトギャップ内磁界が反転してゼロを通過する時と、前記オーバーシュート電流の印加終了時との間に、前記パルス駆動電流のピークが位置するように、前記パルス駆動電流の印加タイミングを制御する請求項７に記載の記録ヘッドの駆動方法。
【発明の詳細な説明】
【技術分野】
【０００１】
この発明の実施形態は、高周波発振子を有する記録ヘッドを用いた磁気ディスク装置および記録ヘッドの駆動方法に関する。
【背景技術】
【０００２】
ディスク装置として、例えば、磁気ディスク装置は、ケース内に配設された磁気ディスクと、磁気ディスクを支持および回転するスピンドルモータと、磁気ディスクに対して情報のリード／ライトを行う磁気ヘッドと、を備えている。
【０００３】
近年、記録密度の向上を図る目的で、磁気ヘッドの主磁極の近傍に高周波発振子としてスピントルク発振子を設け、このスピントルク発振子によって磁気ディスクの磁気記録層に高周波磁界を印加する高周波アシスト記録方式の磁気ヘッドが提案されている。また、スピントルク発振子に対して定常レベルの駆動信号を連続的に供給し、記録信号の極性反転後の所定時間だけ定常レベルよりも高いレベルの駆動信号をスピントルク発振子に供給する駆動制御方式を用いた磁気ディスク装置が提案されている。
【先行技術文献】
【特許文献】
【０００４】
【特許文献１】特開２０１０−２１８５９８号公報
【特許文献２】米国特許出願公開第２０１３／００５０８６６号明細書
【特許文献３】特許第５４１６７４６号公報
【発明の概要】
【発明が解決しようとする課題】
【０００５】
上述した駆動制御方式の場合、記録磁界の反転後、スピントルク発振子の発振立ち上がりまでには時間がかかるため、オーバーライトはよくなるが、記録磁化転移はシャープにできない。そのため、線記録密度の向上が困難となる。
【０００６】
この発明は以上の点に鑑みなされたもので、その課題は、高周波アシスト磁気記録において、記録密度の向上を図ることが可能な磁気ディスク装置および記録ヘッドの駆動方法を提供することにある。
【課題を解決するための手段】
【０００７】
実施形態によれば、磁気ディスク装置は、記録媒体の記録層に記録磁界を印加する主磁極と、前記主磁極を励磁する記録コイルと、前記記録媒体と対向する媒体対向面の近傍で前記主磁極に隣接して設けられ、高周波磁界を発生する高周波発振子と、を有する記録ヘッドと、前記記録コイルに記録電流を供給するとともに、前記記録電流の極性反転後の第１期間内に、オーバーシュート電流を前記記録電流に印加する記録電流供給回路と、前記高周波発振子に第１レベルの一定の駆動電流を供給し、前記第１期間内で、前記第１レベルと異なる第２レベルのパルス駆動電流を前記高周波発振子に印加する駆動電流供給回路と、を備えている。
【図面の簡単な説明】
【０００８】
【図１】図１は、第１の実施形態に係る磁気ディスク装置（ＨＤＤ）を概略的に示すブロック図。
【図２】図２は、前記ＨＤＤにおける磁気ヘッド、サスペンション、記録媒体を示す側面図。
【図３】図３は、前記磁気ヘッドのヘッド部および磁気ディスクの一部を拡大して概略的に示す断面図。
【図４】図４は、記録ヘッドの先端部およびスピントルク発振子（ＳＴＯ）を拡大して示す断面図。
【図５】図５は、前記磁気ヘッドにおける記録電流波形、ＳＴＯ電流波形、ＳＴＯの発振挙動を示す図。
【図６】図６は、比較例に係る磁気ヘッドの記録電流波形、ギャップ磁界、ＳＴＯの発振挙動を示す図。
【図７】図７は、第２の実施形態に係る磁気ディスク装置における、記録ヘッドの記録電流波形およびＳＴＯ電流波形を示す図。
【発明を実施するための形態】
【０００９】
以下、図面を参照しながら、実施形態について詳細に説明する。  
（第１の実施形態）  
図１は、ディスク装置として、第１の実施形態に係るハードディスクドライブ（ＨＤＤ）を概略的に示すブロック図、図２は、浮上状態の磁気ヘッドおよび磁気ディスクを示す側面図である。  
図１に示すように、ＨＤＤ１０は、矩形状の筐体１１と、筐体１１内に配設された記録媒体としての磁気ディスク１２と、磁気ディスク１２を支持および回転するスピンドルモータ１４と、磁気ディスク１２に対してデータの書込み、読出しを行う複数の磁気ヘッド１６と、を備えている。また、ＨＤＤ１０は、磁気ヘッド１６を磁気ディスク１２上の任意のトラック上に移動するとともに位置決めするヘッドアクチュエータ１８を備えている。ヘッドアクチュエータ１８は、磁気ヘッド１６を移動可能に支持するサスペンションアッセンブリ２０と、このサスペンションアッセンブリ２０を回動させるボイスコイルモータ（ＶＣＭ）２２とを含んでいる。
【００１０】
ＨＤＤ１０は、ヘッドアンプＩＣ３０およびメインコントローラ４０を備えている。ヘッドアンプＩＣ３０は、例えば、サスペンションアッセンブリ２０に設けられ、磁気ヘッド１６に電気的に接続されている。メインコントローラ４０は、例えば、筐体１１の背面側に設けられた図示しない制御回路基板に構成されている。メインコントローラ４０は、Ｒ／Ｗチャネル４２と、ハードディスクコントローラ（ＨＤＣ）４４と、マイクロプロセッサ（ＭＰＵ）４６と、ドライバＩＣ４８と、を備えている。メインコントローラ４０は、ヘッドアンプＩＣ３０と、ドライバＩＣ４８を介して、ＶＣＭ２２及びスピンドルモータ１４とに電気的に接続されている。ＨＤＤ１０は、図示しないホストコンピュータに接続可能である。
【００１１】
図１および図２に示すように、磁気ディスク１２は、垂直磁気記録媒体として構成されている。磁気ディスク１２は、例えば、直径約２．５インチ（６．３５ｃｍ）の円板状に形成され非磁性体からなる基板１０１を有している。基板１０１の各表面には、下地層としての軟磁性層１０２と、その上層部に、磁気記録層１０３と保護膜１０４とが順次積層されている。磁気ディスク１２は、スピンドルモータ１４のハブに互いに同軸的に嵌合されている。磁気ディスク１２は、スピンドルモータ１４により所定の速度で矢印Ｂ方向に回転される。  
サスペンションアッセンブリ２０は、筐体１１に回動自在に固定された軸受部２４と、軸受部２４から延出した複数のサスペンション２６と、を有している。図２に示すように、磁気ヘッド１６は、各サスペンション２６の延出端に支持されている。磁気ヘッド１６は、サスペンションアッセンブリ２０に設けられた配線部材２８を介して、ヘッドアンプＩＣ３０に電気的に接続されている。
【００１２】
次に、磁気ヘッド１６の構成について詳細に説明する。図３は、磁気ヘッドのヘッド部および磁気ディスクの一部を拡大して示す断面図、図４は、記録ヘッドの先端部および磁気ディスクの一部を拡大して示す断面図である。  
図２および図３に示すように、磁気ヘッド１６は浮上型のヘッドとして構成され、ほぼ直方体状に形成されたスライダ１５と、スライダの流出端（トレーリング）側の端部に形成されたヘッド部１７とを有している。スライダ１５は、例えば、アルミナとチタンカーバイドの焼結体（アルチック）で形成され、ヘッド部１７は複数層の薄膜により形成されている。
【００１３】
スライダ１５は、磁気ディスク１２の表面に対向する矩形状のディスク対向面（媒体対向面、空気支持面（ＡＢＳ））１３を有している。スライダ１５は、磁気ディスク１２の回転によってディスク表面とＡＢＳ１３との間に生じる空気流Ｃにより、磁気ディスク表面から所定量浮上した状態に維持される。空気流Ｃの方向は、磁気ディスク１２の回転方向Ｂと一致している。スライダ１５は、空気流Ｃの流入側に位置するリーディング端１５ａおよび空気流Ｃの流出側に位置するトレーリング端１５ｂを有している。
【００１４】
図３に示すように、ヘッド部１７は、スライダ１５のトレーリング端１５ｂに薄膜プロセスで形成された再生ヘッド５４および記録ヘッド５８を有し、分離型の磁気ヘッドとして形成されている。また、ヘッド部１７は、高周波発振子として、スピントルク発振子（ＳＴＯ）を有している。
【００１５】
再生ヘッド５４は、磁気抵抗効果を示す磁性膜５５と、この磁性膜５５のトレーリング側およびリーディング側に磁性膜５５を挟むように配置されたシールド膜５６、５７と、で構成されている。これら磁性膜５５、シールド膜５６、５７の下端は、スライダ１５のＡＢＳ１３に露出している。
【００１６】
記録ヘッド５８は、再生ヘッド５４に対して、スライダ１５のトレーリング端１５ｂ側に設けられている。記録ヘッド５８は、磁気ディスク１２の表面に対して垂直方向の記録磁界を発生させる高透磁率材料からなる主磁極６０、トレーリングシールド（ライトシールド、第１シールド）６２、および、リーディングシールド（第２シールド）６４を有している。主磁極６０とトレーリングシールド６２とは磁路を形成する第１磁気コアを構成し、主磁極６０とリーディングシールド６４とは磁路を形成する第２磁気コアを構成している。記録ヘッド５８は、第１磁気コアに巻き付けられた第１コイル（記録コイル）７０と、第２磁気コアに巻き付けられた第２コイル（記録コイル）７２とを有している。
【００１７】
図３および図４に示すように、主磁極６０は、磁気ディスク１２の表面に対してほぼ垂直に延びている。主磁極６０の磁気ディスク１２側の先端部６０ａは、ディスク面に向かって先細に絞り込まれている。主磁極６０の先端部６０ａは、例えば、断面が台形状に形成されている。主磁極６０の先端面は、スライダ１５のＡＢＳ１３に露出している。（先端部６０ａのトレーリング側端面６７ａの幅は、磁気ディスク１２におけるトラックの幅にほぼ対応している。
【００１８】
軟磁性体で形成されたトレーリングシールド６２は、主磁極６０のトレーリング側に配置され、主磁極６０の直下の磁気ディスク１２の軟磁性層１０２を介して効率的に磁路を閉じるために設けられている。トレーリングシールド６２は、ほぼＬ字形状に形成され、主磁極６０に接続される第１接続部５０および第２接続部を有している。第１接続部５０は非導電体５２を介して主磁極６０の上部、すなわち、主磁極６０のＡＢＳ１３から離れた部分、に接続されている。
【００１９】
トレーリングシールド６２の先端部６２ａは、細長い矩形状に形成されている。トレーリングシールド６２の先端面は、スライダ１５のＡＢＳ１３に露出している。先端部６２ａのリーディング側端面６２ｂは、磁気ディスク１２のトラックの幅方向に沿って延び、また、ＡＢＳ１３に対してほぼ垂直に延びている。このリーディング側端面６２ｂは、主磁極６０のトレーリング側端面６７ａとライトギャップＷＧを置いて平行に対向している。
【００２０】
ＡＢＳ１３の近傍で、主磁極６０の先端部６０ａとトレーリングシールド６２のリーディング側端面６２ｂとの間に、これらを電気的に接合する導電層６５が配置されている。トレーリングシールド６２の先端部６２ａは、第２接続部を構成している。導電層６５は、単層あるいは、複数の導電層を積層した多層構造のいずれでもよい。導電層６５の材料は、Ｃｕ、Ａｇ、Ａｕ、Ａｌ、ニクロムなどを用いることができる。
【００２１】
導電層６５は、高周波発振子を含んでいてもよい。本実施形態では、導電層６５は、高周波発振子として機能するスピントルク発振子(ＳＴＯ)７４を含んでいる。ＳＴＯ７４は、スピン注入層（第２磁性体層）、中間層、発振層（第１磁性体層）を、主磁極６０側からトレーリングシールド６２側に順に積層して構成されている。なお、積層の順番は、上記と逆でもよい。
【００２２】
主磁極６０とトレーリングシールド６２とに端子９１、９２がそれぞれ接続され、これらの端子９１、９２は、配線を介してヘッドアンプＩＣ３０に接続される。このヘッドアンプＩＣ３０から主磁極６０、導電層６５、トレーリングシールド６２を通してＳＴＯ電流を直列に通電できるように電流回路が構成されている。
【００２３】
記録ヘッド５８は、主磁極６０およびトレーリングシールド６２を含む磁気回路（第１磁気コア）に巻き付くように配置された第１コイル７０を有している。第１コイル７０は、第１磁気コアにおいて、例えば、第１接続部５０の回りに巻付けられている。磁気ディスク１２に信号を書き込む際、第１コイル７０に記録電流を流すことにより、第１コイル７０は、主磁極６０を励起して主磁極６０に磁束を流す。
【００２４】
軟磁性体で形成されたリーディングシールド６４は、主磁極６０のリーディング側に主磁極６０と対向して設けられている。リーディングシールド６４は、ほぼＬ字形状に形成され、磁気ディスク１２側の先端部６４ａは細長い矩形状に形成されている。この先端部６４ａの先端面（下端面）は、スライダ１５のＡＢＳ１３に露出している。先端部６４ａのトレーリング側端面６４ｂは、磁気ディスク１２のトラックの幅方向に沿って延びている。このトレーリング側端面６４ｂは、主磁極６０のリーディング側端面とギャップを置いて対向している。このギャップには、後述する非磁性体としての保護膜絶縁膜が位置している。
【００２５】
リーディングシールド６４は、磁気ディスク１２から離間した位置で主磁極６０に接合された第２接続部６８を有している。この第２接続部６８は、例えば、軟磁性体で形成され、主磁極６０およびリーディングシールド６４とともに磁気回路を形成している。記録ヘッド５８の第２コイル７２は、主磁極６０およびリーディングシールド６４を含む磁気回路（第２磁気コア）に巻きつくように配置され、この磁気回路に磁界を印加する。第２コイル７２は、第２磁気コアにおいて、例えば、第２接続部６８の回りに巻付けられている。なお、第２接続部６８の一部に非導電体、もしくは、非磁性体を挿入してもよい。
【００２６】
第２コイル７２は、第１コイル７０と反対向きに巻かれている。第１コイル７０および第２コイル７２にそれぞれライト電流端子９５、９６が接続され、これらのライト電流端子９５、９６は配線を介してヘッドアンプＩＣ３０に接続される。第２コイル７２は、第１コイル７０と直列に接続されてもよい。また、第１コイル７０および第２コイル７２は、別々に電流供給制御してもよい。第１コイル７０および第２コイル７２に供給する電流は、ヘッドアンプＩＣ３０およびメインコントローラ４０によって制御される。
【００２７】
上述した記録ヘッド５８において、主磁極６０、トレーリングシールド６２、およびリーディングシールド６４を構成する軟磁性材料は、Ｆｅ、Ｃｏ、又はＮｉの少なくとも一種を含む合金、または化合物の中から選択して用いることができる。  
図３に示すように、再生ヘッド５４および記録ヘッド５８は、スライダ１５のＡＢＳ１３に露出する部分を除いて、保護絶縁膜７６により覆われている。保護絶縁膜７６は、ヘッド部１７の外形を構成している。
【００２８】
上記のように構成された磁気ヘッド１６および記録ヘッド５８を駆動するヘッドアンプＩＣ３０は、図１に示したように、図示しない配線およびライト電流端子９５、９６を介して第１および第２コイル７０、７２に記録電流を供給する記録電流供給回路８１と、図示しない配線および端子９１、９２を介して、ＳＴＯ７４に駆動電流を供給するためのＳＴＯ電流供給回路８２と、記録電流供給回路８１とＳＴＯ電流供給回路８２とに電流を流す時間およびタイミングを制御するタイミング演算部８３と、Ｒ／Ｗチャネル４２で発生する記録パターン信号に応じて、記録電流波形を発生する記録電流波形発生器８４と、を備えている。記録電流波形発生器８４は、発生した記録電流波形をタイミング演算部８３へ入力する。
【００２９】
ＨＤＤ１０の動作時において、メインコントローラ４０は、ＭＰＵ４６の制御の下、ドライバＩＣ４８によりスピンドルモータ１４を駆動し、磁気ディスク１２を所定の速度で回転する。また、メインコントローラ４０は、ドライバＩＣ４８によりＶＣＭ２２を駆動し、磁気ヘッド１６を磁気ディスク１２の所望のトラック上に移動および位置決めする。
【００３０】
記録時において、ヘッドアンプＩＣ３０の記録電流供給回路８１は、Ｒ／Ｗチャネル４２から発生する記録信号、記録パターンに応じて記録電流を第１および第２コイル７０、７２に通電する。これにより、第１および第２コイル７０、７２は主磁極６０を励磁し、主磁極６０から記録磁界を発生させる。また、記録電流供給回路８１は、記録電流が極性反転する際、所定量および所定時間のオーバーシュート電流を記録電流波形に重畳し、第１および第２コイル７０へ供給する。
【００３１】
ＳＴＯ電流供給回路８２は、ＭＰＵ４６の制御の下、主磁極６０およびトレーリングシールド６２に電圧を印加することにより、配線、端子９１、９２、主磁極６０、ＳＴＯ７４、トレーリングシールド６２を通して駆動電流を直列に通電する。すなわち、ＳＴＯ電流供給回路８２は、ＳＴＯ７４の膜厚方向に、電流を通電する。通電することにより、ＳＴＯ７４の発振層の磁化が回転し、高周波磁界（マイクロ波）を発生させることが可能となる。これにより、ＳＴＯ７４は、磁気ディスク１２の磁気記録層１０３に高周波磁界を印加し、磁気記録層１０３の保磁力を低減する。このような状態で、記録ヘッド５８から記録磁界を磁気記録層１０３に印加して、所望のデータを磁気記録層１０３に書き込む。
【００３２】
図５は、本実施形態に係るＨＤＤ１０において、第１、２コイル７０、７２に入力する記録電流波形と、ＳＴＯの発振状態とを示している。図５（ａ）は、第１および第２コイル７０、７２に供給する電流波形の極性反転（磁化反転）後に、オーバーシュート電流を付加した（重畳した）場合の記録電流波形を示し、図５（ｂ）は、記録電流と同じタイミングでＳＴＯ７４へ通電するＳＴＯ電流波形を示している。図５（ｃ）は、記録電流と同じタイミングでの、記録ヘッド５８のギャップ磁界の変化を示し、図５（ｄ）、図５（ｅ）は、記録電流と同じタイミングでの、ＳＴＯ７４の発振状態（面内磁界）と、ＳＴＯ７４の発振周波数と、を示している。
【００３３】
図５（ａ）に示すように、記録電流供給回路８１は、記録電流の極性反転後の所定の期間（第１期間）Ｔ１でオーバーシュート電流を記録電流に重畳して供給する。図５（ｂ）に示すように、ＳＴＯ電流供給回路８２は、ＳＴＯ７４に対して一定の第１レベル（電流値）Ｓ１の駆動電流を連続的に供給し、オーバーシュート電流の供給期間Ｔ１内において、第１レベルＳ１よりも絶対値の高い第２レベル（電流値）Ｓ２のパルス駆動電流を瞬間的な期間Ｔ２だけＳＴＯ７４に供給する。パルス駆動電流の立ち上がりタイミングは、極性反転後、ギャップ（ライトギャップＷＧ）内磁界が反転するタイミング、すなわち、ギャップ内磁界がゼロを通過する時と、オーバーシュート電流の印加終了時との間に、パルス駆動電流のピークが位置するように、適宜調整する。
【００３４】
このような、オーバーシュート電流の重畳、および供給期間Ｔ１内における、ＳＴＯ駆動電流の第２レベルＳ２のパルス駆動電流の印加により、図５（ｃ）に示すように、極性反転後、ギャップ内磁界は短時間で所望のギャップ磁界Ｈｇ１に到達する。また、図５（ｄ）、（ｅ）に示すように、極性反転からＳＴＯ７４の発振が安定するまでの時間Ｔ３を大幅に短くすることができる。これにより、記録磁化転移をシャープにすることができるため、線記録密度の向上を図ることができる。
【００３５】
なお、パルス駆動電流の第２レベルＳ２を、第１レベルＳ１の２倍以上とした場合、ＳＴＯの発振周波数が一瞬上がりすぎるという現象が生じ、所望のＳＴＯ発振周波数となるまでの時間が長くなり、立ち上がりが悪くなる。記録能力を向上させることができるＳＴＯ発振周波数は、記録媒体の垂直記録層の磁化の異方性磁界Ｈｋによって影響されるため、この異方性磁界ＨｋにマッチングしたＳＴＯ発振周波数が必要となる。すなわち、パルス駆動信号の第２レベルＳ２は、大きすぎても小さすぎても、記録媒体の磁化反転をよくする効果が低減する。従って、パルス駆動信号の第２レベルＳ２は、第１レベルＳ１の２倍以下に設定することが望ましく、例えば、１．３＜（Ｓ２／Ｓ１）＜２に設定することが望ましい。
【００３６】
一方、図６は、比較例として、ＳＴＯ電流を一定として、パルス駆動電流を印加しない場合の（ａ）記録電流波形、（ｂ）ギャップ内磁界、（ｃ）ＳＴＯ面内磁化、（ｄ）ＳＴＯ発振周波数を示している。
【００３７】
図６（ａ）に示すように、磁化反転時、記録電流波形にオーバーシュート電流を重畳する供給期間Ｔ１において、ギャップ内磁界は、図６（ｂ）に示されている所望のギャップ磁界Ｈｇ１に到達しない状態が発生する。これは、オーバーシュート電流を印加している間、ＳＴＯが磁気ギャップ内に配置されている磁気コア（トレーリング側コア）に流れる磁束よりも、他方の磁気コア（リーディング側コア）に流れる磁束の量が増大している状態にあり、ＳＴＯへ加わるべき磁界が不足しているためである。図６（ｃ）、（ｄ）に示されるように、ＳＴＯ面内磁界およびＳＴＯ発振周波数は、図６（ｂ）に示すギャップ内磁界と同じタイミングで変化する（立ち上がる）。そのため、ギャップ内磁界の立ち上がり遅れにより、ＳＴＯ面内磁界およびＳＴＯ発振周波数の立ち上がりが遅れ、磁極の磁界応答からＳＴＯの発振が安定するまでに、時間Ｔ４（〜０．７ｎｓ）を要する。この場合、時間Ｔ４の後にＳＴＯが発振している期間では、記録状態、つまり、オーバーライト特性は向上するが、磁化転移形成には、ＳＴＯのアシスト発振が寄与していない。そのため、比較例では、線記録密度を向上することが困難となる。
【００３８】
以上のように、本実施形態に係る磁気ディスク装置では、記録電流へのオーバーシュート電流の重畳、および供給期間Ｔ１内での、ＳＴＯ駆動電流の第２レベルＳ２のパルス駆動電流の印加により、極性反転からＳＴＯの発振が安定するまでの時間を大幅に短くすることができる。すなわち、記録電流の極性反転後に、オーバーシュート電流を印加した場合においても、スピントルク発振子の応答性を早くすることができる。これにより、記録磁化転移をシャープにすることができるため、安定した高周波アシストにより良好な記録を行うことができ、線記録密度の向上を図ることができる。  
以上のことから、本実施形態によれば、高周波アシスト磁気記録において、より高速で安定な記録が可能な磁気ディスク装置が得られる。
【００３９】
次に、他の実施形態に係るＨＤＤについて説明する。なお、以下に説明する他の実施形態において、前述した第１の実施形態と同一の部分には、同一の参照符号を付してその詳細な説明を省略し、第１の実施形態と異なる部分を中心に詳しく説明する。
【００４０】
（第２の実施形態）  
図７は、第２の実施形態に係るＨＤＤにおける、記録ヘッドの記録電流波形およびＳＴＯ電流波形を示している。第２の実施形態に係るＨＤＤによれば、記録電流供給回路は、記録電流の極性反転時、供給期間（第１期間）Ｔ１だけ、オーバーシュート電流を記録電流に重畳する。また、ＳＴＯ電流供給回路は、第１レベルＳ１の一定駆動電流に加えて、第１期間Ｔ１内で、第１レベルＳ１よりも高い第２レベルＳ２のパルス駆動電流を印加する。この際、ＳＴＯ電流供給回路は、パルス駆動電流の電流値を第２レベルＳ２に上げた後、第１レベルＳ１よりも低い第３レベルＳ３まで減少させるようにパルス駆動電流を供給するように構成されている。すなわち、オーバーシュート電流に同期して印加するパルス駆動電流の電流値は、定常の第１レベルＳ１よりも高いレベルの電流値を印加後に、第１レベルＳ１よりも低い電流値としてもよい。なお、本実施形態において、第１レベルＳ１と第３レベルＳ３との差の絶対値は、第１レベルＳ１と第２レベルＳ２との差の絶対値よりも小さいことが望ましい。パルス駆動電流の電流値を定常の第１レベルＳ１よりも低い電流値とする場合、第１レベルＳ１の１／２以内に設定することが望ましい。
【００４１】
このようなパルス駆動電流を用いた場合でも、高周波発振子の応答性を上げ、記録磁化転移をシャープにすることができる。そのため、安定した高周波アシストにより良好な記録を行うことができ、線記録密度の向上を図ることができる。
【００４２】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、高周波発振子は、主磁極のトレーリング側に限らず、主磁極のリーディング側に設けてもよい。記録電流値、駆動電流値、記録電流のオーバーシュート量、印加期間は、上述した実施形態で示した数値に限定されることなく、適宜変更可能である。記録ヘッドは、トレーリングシールドおよびリーディングシールドを備えたダブルコア構造に限定されることなく、トレーリングシールドあるいはリーディングシールドのいずれか一方のみを備える構成としてもよい。
【００４３】
また、主磁極のトラック幅方向の両側へサイドシールドを設置してもよい。このサイドシールドを設置することにより、隣接トラックへのフリンジ磁界の減少が可能となり、トラック幅方向の記録密度を向上することが出来る。
【符号の説明】
【００４４】
１０…磁気ディスク装置、１１…筐体、１２…磁気ディスク、１３…ＡＢＳ
１４…スピンドルモータ、１５…スライダ、１６…磁気ヘッド、１７…ヘッド部、
１８…ヘッドアクチュエータ、３０…ヘッドアンプＩＣ、４０…メインコントローラ、
５４…再生ヘッド、５８…記録ヘッド、６０…主磁極、６２…トレーリングシールド、
７０…第１コイル、７２…第２コイル、７４…スピントルク発振子、
８１…記録電流供給回路、８２…ＳＴＯ電流供給回路
【図１】
2016045973.tif 000003
【図２】
2016045973.tif 000004
【図３】
2016045973.tif 000005
【図４】
2016045973.tif 000006
【図５】
2016045973.tif 000007
【図６】
2016045973.tif 000008
【図７】
2016045973.tif 000009